(57)【特許請求の範囲】
【請求項１】
通路が閉鎖される閉位置と前記通路が開放される開位置との間で移動する扉と、前記開位置にある扉に重なるＦＩＸパネルと、を有する自動ドアに取り付けられる発光装置であって、
光が入射する入射部と、前記光の少なくとも一部を外部に漏出させる漏出部と、前記光を前記入射部から前記漏出部まで導く光導波路部と、を有する発光体を備え、
前記発光体は、前記ＦＩＸパネルに取り付けられた方立よりも前記通路の外側で、前記ＦＩＸパネルに沿って配置される
発光装置。
【請求項２】
前記発光体は、非発光状態で透明またはＦＩＸパネルと同色である
請求項１に記載の発光装置。
【請求項３】
前記発光体は、前記扉が前記閉位置にあるときは消灯されている
請求項２に記載の発光装置。
【請求項４】
前記発光体は、棒体であり、
前記入射部は、前記棒体の上端部及び前記棒体の下端部のうち少なくとも一方である
請求項１乃至３のいずれか１項に記載の発光装置。
【請求項５】
前記扉が、前記開位置にあるとき、前記ＦＩＸパネルと前記扉との間に位置するように前記発光体が設けられている
請求項１乃至４のいずれか１項に記載の発光装置。
【請求項６】
前記発光体は、前記方立に隣接される
請求項１乃至５のいずれか１項に記載の発光装置。
【請求項７】
前記入射部に第１光を出射する第１発光素子と、前記入射部に前記第１光とは色相において異なる第２光を出射する第２発光素子と、を含む光源を更に備える
請求項１乃至６のいずれか１項に記載の発光装置。
【請求項８】
前記光源を制御する制御回路を更に備え、
前記制御回路は、前記自動ドアから前記扉の移動方向に関する方向信号を受信可能に構成され、
前記方向信号が、前記閉位置から前記開位置へ向かう前記扉の移動を示すとき、前記制御回路は、前記第１発光素子から前記第１光を選択的に出射させ、
前記方向信号が、前記開位置から前記閉位置へ向かう前記扉の移動を示すとき、前記制御回路は、前記第２発光素子から前記第２光を選択的に出射させる
請求項７に記載の発光装置。
【請求項９】
前記発光体に前記光を出射する光源と、
前記光源と前記発光体とを保持する保持箱と、を更に備え、
前記保持箱は、前記光源が収容される内部空間及び前記発光体が挿入される挿入口を形成する周壁と、前記挿入口とは反対側に配置された端壁と、を含み、
前記周壁は、前記内部空間の輪郭を形成する内面と、前記内面から突出する突条と、を含み、
前記突条は、前記内部空間を、前記挿入口と前記突条との間に形成された第１内部空間と、前記端壁と前記突条との間に形成された第２内部空間と、に区画し、
前記発光体は、前記第１内部空間内で保持され、
前記光源は、前記第２内部空間内に配置される
請求項１乃至６のいずれか１項に記載の発光装置。
【請求項１０】
前記光源を制御する制御回路と、
前記自動ドアの周囲の照度を検知する照度センサと、を更に備え、
前記制御回路は、前記照度に応じて、前記光の輝度を調整する
請求項７に記載の発光装置。
【発明の詳細な説明】
【技術分野】
【０００１】
本発明は、自動ドアに取り付けられる発光装置に関する。
【背景技術】
【０００２】
自動ドアに取り付けられた発光装置を用いて、通路を通行する通行者に注意喚起する技術が開発されている（特許文献１を参照）。特許文献１の開示技術によれば、発光体は、通路の境界に配置される。この結果、通行者は、通路の境界位置を容易に認識することができる。
【先行技術文献】
【特許文献】
【０００３】
【特許文献１】特開２０１１−１２２３２２号公報
【発明の概要】
【発明が解決しようとする課題】
【０００４】
特許文献１に開示される発光体は、立枠に沿って並べられたＬＥＤ（Ｌｉｇｈｔ  Ｅｍｉｔｔｉｎｇ  Ｄｉｏｄｅ）から形成される。発光体は、立枠の中間位置（高さ方向における中間位置）に通路側に突出して配置されるので、自動ドア全体の美観を損なうことになる。
【０００５】
本発明は、自動ドアの美観を損なうことなく、自動ドアに簡便に取り付けられる発光装置を提供することを目的とする。
【課題を解決するための手段】
【０００６】
本発明の一局面に係る発光装置は、通路が閉鎖される閉位置と前記通路が開放される開位置との間で移動する扉と、前記開位置にある扉に重なるＦＩＸパネルと、を有する自動ドアに取り付けられる。発光装置は、光が入射する入射部と、前記光の少なくとも一部を外部に漏出させる漏出部と、前記光を前記入射部から前記漏出部まで導く光導波路部と、を有する発光体を備える。前記発光体は、前記ＦＩＸパネルに取り付けられた方立よりも前記通路の外側で、前記ＦＩＸパネルに沿って配置される。
【０００７】
この構成によれば、発光体は、ＦＩＸパネルに取り付けられた方立よりも通路の外側で、ＦＩＸパネルに沿って配置されるので、発光体自身は、通路に露出しない。したがって、発光装置は、自動ドア全体の美観を損なうことがない。
【０００８】
上記構成において、前記発光体は、非発光状態で透明または前記ＦＩＸパネルと同色であってもよい。
【０００９】
この構成によれば、ＦＩＸパネルに設けられた発光体の非発光時において、発光体が目立たないため、通行者によって視認されにくい。したがって、発光装置は、自動ドアの美観を損なうことなく、自動ドアに取り付けられる。
【００１０】
上記構成において、前記扉が前記閉位置にあるときは消灯されていてもよい。
【００１１】
この構成によれば、閉位置で停止している間、発光体は消灯しているので、通行者によって視認されにくい。したがって、発光装置は、自動ドアの美観を毀損しにくい。
【００１２】
上記構成において、前記発光体は、棒体であってもよい。前記入射部は、前記棒体の上端部及び前記棒体の下端部のうち少なくとも一方であってもよい。
【００１３】
この構成によれば、入射部は、上端部及び下端部のうち少なくとも一方であるので、入射部へ光を出射する光源や光源へ電力を供給するための電力線が通路側に突出するなど目立つ位置に配置されないため、通行者によって視認されにくい。したがって、発光装置は、自動ドアの美観を損なうことなく、自動ドアに取り付けられる。
【００１４】
上記構成において、前記扉が、前記開位置にあるとき、前記ＦＩＸパネルと前記扉との間に位置するように前記発光体が設けられていてもよい。
【００１５】
この構成によれば、扉が、開位置にあるとき、発光体は、ＦＩＸパネルと扉との間に位置するので、通行者は、発光体にアクセスしにくい。したがって、発光体は、通行者によるいたずらを受けにくくなる。
【００１６】
上記構成において、前記発光体は、前記方立に隣接されていてもよい。
【００１７】
この構成によれば、発光体は、方立に隣接されるので、方立を用いた発光体の固定が容易となる。
【００１８】
上記構成において、発光装置は、前記入射部に第１光を出射する第１発光素子と、前記入射部に前記第１光とは色相において異なる第２光を出射する第２発光素子と、を含む光源を更に備えてもよい。
【００１９】
この構成によれば、発光体は、第１光の色相で発光することもできるし、第２光の色相で発光することもできる。漏出部は、第１光及び第２光の漏出を許容するので、通行者は、漏出部から漏出した第１光及び第２光を視認することができる。
【００２０】
上記構成において、発光装置は、前記光源を制御する制御回路を更に備えてもよい。前記制御回路は、前記自動ドアから前記扉の移動方向に関する方向信号を受信可能に構成されてもよい。前記方向信号が、前記閉位置から前記開位置へ向かう前記扉の移動を示すとき、前記制御回路は、前記第１発光素子から前記第１光を選択的に出射させてもよい。前記方向信号が、前記開位置から前記閉位置へ向かう前記扉の移動を示すとき、前記制御回路は、前記第２発光素子から前記第２光を選択的に出射させてもよい。
【００２１】
この構成によれば、発光装置は、扉の移動方向に応じて、発光色を変更することができる。
【００２２】
上記構成において、前記扉が、前記閉位置で停止している間、前記制御回路は、前記第１発光素子及び前記第２発光素子を消灯してもよい。
【００２３】
上記構成において、発光装置は、前記発光体に前記光を出射する光源と、前記光源と前記発光体とを保持する保持箱と、を更に備えてもよい。前記保持箱は、前記光源が収容される内部空間及び前記発光体が挿入される挿入口を形成する周壁と、前記挿入口とは反対側に配置された端壁と、を含んでもよい。前記周壁は、前記内部空間の輪郭を形成する内面と、前記内面から突出する突条と、を含んでもよい。前記突条は、前記内部空間を、前記挿入口と前記突条との間に形成された第１内部空間と、前記端壁と前記突条との間に形成された第２内部空間と、に区画してもよい。前記発光体は、前記第１内部空間内で保持されてもよい。前記光源は、前記第２内部空間内に配置されてもよい。
【００２４】
この構成によれば、発光体は、第１内部空間内で保持される一方で、光源は、第２内部空間内に配置されるので、光は、第１内部空間と第２内部空間との間の境界を通じて、光源から発光体へ適切に伝達される。
【００２５】
上記構成において、発光装置は、前記光源を制御する制御回路と、前記自動ドアの周囲の照度を検知する照度センサと、を更に備えてもよい。前記制御回路は、前記照度に応じて、前記光の輝度を調整してもよい。
【００２６】
この構成によれば、制御回路は、照度に応じて、光の輝度を調整するので、通行者は、適切な輝度の光を視認することができる。
【発明の効果】
【００２７】
上述の発光装置は、自動ドアの美観を損なうことなく、自動ドアに簡便に取り付けられる。
【図面の簡単な説明】
【００２８】
【図１】第１実施形態の発光装置の概念図である。
【図２Ａ】第２実施形態の発光体の概略的な横断面図である。
【図２Ｂ】第２実施形態の発光体の概略的な横断面図である。
【図３】第３実施形態の発光装置の概念図である。
【図４】第４実施形態の光源の概念図である。
【図５Ａ】第５実施形態の発光体の概略的な斜視図である。
【図５Ｂ】第５実施形態の発光体の概略的な斜視図である。
【図５Ｃ】第５実施形態の発光体の概略的な斜視図である。
【図５Ｄ】第５実施形態の発光体の概略的な斜視図である。
【図６】第６実施形態の発光装置の概略的な斜視図である。
【図７】第７実施形態の発光装置の概略的な斜視図である。
【図８】図７に示される発光装置の制御回路の例示的な動作を表す概略的なフローチャートである。
【図９Ａ】第８実施形態の保持箱の概略的な斜視図である。
【図９Ｂ】第８実施形態の保持箱の概略的な断面図である。
【図１０】第９実施形態の発光装置の概略的な断面図である。
【図１１】第１０実施形態の発光装置の概略的な断面図である。
【図１２】第１１実施形態の発光装置の概念的なブロック図である。
【発明を実施するための形態】
【００２９】
＜第１実施形態＞
第１実施形態において、自動ドアの美観を損なうことなく、自動ドアへの簡便な取付を可能にする発光装置の概念が説明される。
【００３０】
図１は、第１実施形態の発光装置１００の概念図である。図１を参照して、発光装置１００が説明される。
【００３１】
図１は、建物（図示せず）の通路に設けられる引戸式の自動ドアＡＭＤを概略的に示す。自動ドアＡＭＤは、扉ＳＤＲと、ＦＩＸパネルＬＷＤと、を備える。扉ＳＤＲは、通路ＰＳＧが閉鎖される閉位置と、通路ＰＳＧが開放される開位置と、の間で略水平に且つ直線的に移動する。扉ＳＤＲが開位置に到達すると、ＦＩＸパネルＬＷＤは、扉ＳＤＲと重なる。既知の自動ドアの様々な構造は、扉ＳＤＲ及びＦＩＸパネルＬＷＤに適用可能である。したがって、本実施形態の原理は、扉ＳＤＲ及びＦＩＸパネルＬＷＤの特定の構造に限定されない。図１に示される自動ドアＡＭＤは、片引き式である。しかしながら、本実施形態の原理は、引分け式の自動ドア、二重引戸の自動ドア、円形ドアやグライドドアにも適用可能である。
【００３２】
発光装置１００は、自動ドアＡＭＤのＦＩＸパネルＬＷＤに沿って取り付けられる。発光装置１００は、発光体２００と、発光体２００に光を供給する光源（図示せず）と、を備える。発光体２００は、光源から光を受け、当該光を内部伝播する。内部伝播した光の一部が、発光体２００から漏出することによって、通行者は、発光体２００の発光を視認することができる。発光体２００は、一般的な光導波路と同様の構造を有してもよい。あるいは、発光体２００は、光の内部伝播を可能にする他の構造を有してもよい。本実施形態の原理は、発光体２００の特定の構造に限定されない。
【００３３】
発光体２００の発光は、発光体２００内の光の内部伝播と、発光体２００に設けられた漏出部（図示せず）からの光の漏出と、に依存するので、発光装置１００を自動ドアＡＭＤに取り付ける施工者は、発光体２００に光を出射する光源を、通行者に視認されにくい位置（たとえば、自動ドアＡＭＤの上部及び／又は下部）に配置することができる。発光体２００への直接的な電気接続は必要とされず、電力線は、通行者から視認されにくい、目立たない位置に設置された光源に接続されるので、電力線も、通行者から隠れた位置に配置されやすくなる。施工者は、たとえば、無目や扉ＳＤＲを案内するレールに沿って、電力線を配置することができるので、発光装置１００は、自動ドアＡＭＤの美観を損なうことなく、自動ドアＡＭＤに簡便に取り付けられる。
【００３４】
発光体２００は、棒状であってもよいし、平板状であってもよい。代替的に、発光体２００は、他の形状を有してもよい。本実施形態の原理は、発光体２００の特定の形状に限定されない。
【００３５】
図１は、通路ＰＳＧの境界を鎖線で示す。方立ＭＬＮは、ＦＩＸパネルＬＷＤに取り付けられ、鉛直方向に延びる。通路ＰＳＧの境界は、ＦＩＸパネルＬＷＤの方立ＭＬＮによって定められる。
【００３６】
図１に示される如く、発光体２００は、略鉛直に延びる境界から水平方向に離れた位置において、ＦＩＸパネルＬＷＤに沿って配置される。発光体２００は、通路ＰＳＧの境界に現れないので、発光装置１００は、自動ドアＡＭＤの美観を損なうことなく、自動ドアＡＭＤに簡便に取り付けられる。
【００３７】
発光体２００は、開位置にある扉ＳＤＲに対向するＦＩＸパネルＬＷＤの内面に隣接されてもよい。あるいは、発光体２００は、ＦＩＸパネルＬＷＤの内面の反対の外面に隣接されてもよい。本実施形態の原理は、発光体２００が隣接するＦＩＸパネルＬＷＤの特定の面に限定されない。「隣接する」との用語は、２つの物体が接触している状態だけでなく、２つの物体が僅かに離間している状態をも意味する。
【００３８】
発光体２００は、ＦＩＸパネルＬＷＤに直接的に取り付けられてもよい。あるいは、発光体２００は、無目に固定されてもよい。または、発光体２００は、床面（図示せず）や、扉ＳＤＲを案内するレール部材（図示せず）に固定されてもよい。本実施形態の原理は、発光体２００を固定するための特定の位置や技術に限定されない。
【００３９】
＜第２実施形態＞
発光体が、開位置にある扉と固定窓との間に位置するならば、発光体は、通行者や自動ドアの周囲にいるヒトによるいたずらを受けにくくなる。第２実施形態において、開位置にある扉と固定窓との間に位置する発光体が説明される。
【００４０】
図２Ａは、第２実施形態の発光体２０１の概略的な横断面図である。図２Ｂは、第２実施形態の他のもう１つの発光体２０２の概略的な水平断面図である。図１乃至図２Ｂを参照して、発光体２０１，２０２が説明される。第１実施形態の説明は、第１実施形態と同一の符号が付された要素に対して援用される。
【００４１】
発光体２０１，２０２それぞれは、図１を参照して説明された発光体２００として利用可能である。したがって、第１実施形態の説明は、発光体２０１，２０２それぞれに援用される。
【００４２】
図１と同様に、図２Ａ及び図２Ｂそれぞれは、扉ＳＤＲと、ＦＩＸパネルＬＷＤと、方立ＭＬＮと、を示す。扉ＳＤＲは、開位置にある。
【００４３】
方立ＭＬＮは、第１面ＳＦ１と、第２面ＳＦ２と、第３面ＳＦ３と、第４面ＳＦ４と、を含む。第１面ＳＦ１は、開位置にある扉ＳＤＲに対向する。第２面ＳＦ２は、第１面ＳＦ１とは反対側の面である。第３面ＳＦ３は、通路ＰＳＧ（図１を参照）の境界を定める。第４面ＳＦ４は、第３面ＳＦ３とは反対側の面である。
【００４４】
ＦＩＸパネルＬＷＤは、内主面ＩＭＳと、外主面ＯＭＳと、を含む。内主面ＩＭＳは、開位置にある扉ＳＤＲに対向する。外主面ＯＭＳは、内主面ＩＭＳとは反対側の面である。
【００４５】
外主面ＯＭＳは、第２面ＳＦ２と略面一である。方立ＭＬＮの厚さ（すなわち、第１面ＳＦ１と第２面ＳＦ２との間の距離）は、ＦＩＸパネルＬＷＤの厚さ（すなわち、外主面ＯＭＳと内主面ＩＭＳとの間の距離）より小さい。したがって、ＦＩＸパネルＬＷＤと開位置にある扉ＳＤＲとの間には、空間が形成される。図２Ａ及び図２Ｂに示される如く、発光体２０１，２０２それぞれは、ＦＩＸパネルＬＷＤと扉ＳＤＲとの間の空間内に配置される。
【００４６】
図２Ａに示される如く、発光体２０１は、第４面ＳＦ４と内主面ＩＭＳとによって形成される角隅部に配置される。すなわち、発光体２０１は、第４面ＳＦ４と内主面ＩＭＳとに隣接される。扉ＳＤＲが、閉位置から開位置へ移動するとすぐに、発光体２０１は、扉ＳＤＲとＦＩＸパネルＬＷＤとの間に位置することになる。したがって、発光体２０１は、扉ＳＤＲの近くにいるヒトによるいたずらを受けにくい。
【００４７】
図２Ｂに示される如く、発光体２０２は、方立ＭＬＮから大きく離れた位置に配置される。発光体２０２は、ＦＩＸパネルＬＷＤ上で様々な意匠を形成してもよい。
【００４８】
発光体２０１，２０２の断面は、略矩形である。代替的に、発光体は、円形、楕円形や他の多角形状といった断面を有してもよい。本実施形態の原理は、発光体の特定の断面形状に限定されない。
【００４９】
ＦＩＸパネルＬＷＤは、発光体２０１，２０２から出射される光に対して透明である。したがって、通行者は、ＦＩＸパネルＬＷＤを通じて、発光体２０１，２０２から出射される光を視認することができる。
【００５０】
扉ＳＤＲは、発光体２０１，２０２から出射される光に対して透明な広い領域を有してもよい。この場合、通行者は、扉ＳＤＲの透明な領域を通じて、発光体２０１，２０２から出射される光を視認することができる。
【００５１】
＜第３実施形態＞
設計者は、上述の実施形態の原理にしたがって、様々な発光装置を設計することができる。第３実施形態において、例示的な発光装置が説明される。
【００５２】
図３は、第３実施形態の発光装置１００Ａの概念図である。図１乃至図３を参照して、発光装置１００Ａが説明される。
【００５３】
発光装置１００Ａは、発光体２００Ａと、光源３００と、を備える。発光体２００Ａは、図１を参照して説明された発光体２００及び／又は図２Ａ及び図２Ｂを参照して説明された発光体２０１，２０２に対応する。発光体２００，２０１，２０２に関する説明は、発光体２００Ａに援用されてもよい。光源３００は、発光体２００Ａに光を供給する。
【００５４】
発光体２００Ａは、入射部２１０と、漏出部２２０と、を含む。光源３００から出射された光は、入射部２１０に入射する。その後、光は、発光体２００Ａの内部で伝播する。したがって、発光体２００Ａは、一般的な光導波路と同様の構造を有してもよい。
【００５５】
発光体２００Ａの内部で伝播する光の一部は、漏出部２２０から漏出する。通路ＰＳＧ（図１を参照）を通行する通行者は、発光体２００Ａから漏出する光を視認することができる。漏出部２２０は、伝播する光の少なくとも一部が散乱するように、クラッド層に用いられる材料とは屈折率において異なる材料からなる微細な薄層が分散配置されることによって形成されてもよい。あるいは、漏出部２２０は、クラッド層に形成された微細な傷及び／又は凹部が分散配置されることによって形成されてもよい。光導波路に関連する様々な技術及び知見は、漏出部２２０の形成に利用可能である。したがって、本実施形態の原理は、漏出部２２０を形成するための特定の技術に限定されない。
【００５６】
＜第４実施形態＞
第３実施形態に関連して説明された光源は、複数の発光ダイオードを含んでもよい。複数の発光ダイオードは、互いに異なる色相の光を出射してもよい。この場合、発光装置は、様々な色相の光を生成することができる。第４実施形態において、複数の発光ダイオードを有する例示的な光源が説明される。
【００５７】
図４は、第４実施形態の光源３００Ｂの概念図である。図３及び図４を参照して、光源３００Ｂが説明される。
【００５８】
光源３００Ｂは、図３を参照して説明された光源３００として利用可能である。したがって、光源３００に関する説明は、光源３００Ｂに援用される。
【００５９】
光源３００Ｂは、赤色発光ダイオード３１１と、緑色発光ダイオード３１２と、青色発光ダイオード３１３と、を含む。赤色発光ダイオード３１１は、赤色の光を出射する。緑色発光ダイオード３１２は、緑色の光を出射する。青色発光ダイオード３１３は、青色の光を出射する。
【００６０】
赤色光、緑色光及び青色光の間の混色が生ずるのに十分な程度に、赤色発光ダイオード３１１、緑色発光ダイオード３１２及び青色発光ダイオード３１３は、密集される。したがって、赤色発光ダイオード３１１、緑色発光ダイオード３１２及び青色発光ダイオード３１３それぞれから発せられる光の強度の調整の下で、光源３００Ｂは、様々な色相の光を出射することができる。既知の光学的技術は、赤色光、緑色光及び青色光の強度調整に利用可能である。したがって、本実施形態の原理は、赤色光、緑色光及び青色光の強度を調整するための特定の技術に限定されない。
【００６１】
＜第５実施形態＞
第３実施形態に関連して説明された発光体は、様々な形状を有することができる。発光体は、棒状であってもよいし、平板状であってもよい。発光体が棒状であるならば、発光体の狭い端面（上端面及び／又は下端面）は、光が入射する入射部として利用可能である。この場合、設計者は、小さな光源を利用可能である。加えて、設計者は、光源を、通行者によって視認されにくい位置に配置することができる。第５実施形態において、棒状の発光体が説明される。
【００６２】
図５Ａは、第５実施形態の発光体２０３の概略的な斜視図である。図５Ｂは、第５実施形態の発光体２０４の概略的な斜視図である。図５Ｃは、第５実施形態の発光体２０５の概略的な斜視図である。図５Ｄは、第５実施形態の発光体２０６の概略的な斜視図である。図３、図５Ａ乃至図５Ｄを参照して、発光体２０３，２０４，２０５，２０６が説明される。
【００６３】
発光体２０３，２０４，２０５，２０６それぞれは、図３を参照して説明された発光体２００Ａとして用いられる。発光体２０３，２０４，２０５，２０６それぞれは、上端面２３０と、下端面２４０と、周面２５０と、を含む。下端面２４０は、上端面２３０とは反対側に位置する。上端面２３０及び下端面２４０のうち少なくとも一方は、図３を参照して説明された入射部２１０として利用される。周面２５０は、上端面２３０と下端面２４０との間で鉛直に延びる。
【００６４】
周面２５０は、第１面２５１と、第２面２５２と、第３面２５３と、第４面２５４と、を含む。第１面２５１は、鉛直に延びる。第２面２５２は、第１面２５１とは反対側で鉛直に延びる。第３面２５３は、第１面２５１と第２面２５２との間で鉛直に延びる。第４面２５４は、第３面２５３とは反対側で鉛直に延びる。上端面２３０から入射した光は、第１面２５１、第２面２５２、第３面２５３及び／又は第４面２５４での反射を繰り返しながら、下端面２４０に向かう。下端面２４０から入射した光は、第１面２５１、第２面２５２、第３面２５３及び／又は第４面２５４での反射を繰り返しながら、上端面２３０に向かう。したがって、周面２５０は、光導波路を形成する。
【００６５】
図５Ａに示される如く、図３を参照して説明された漏出部２２０は、第１面２５１、第２面２５２、第３面２５３及び第４面２５４それぞれに全体的に形成されてもよい。
【００６６】
図５Ｂに示される如く、図３を参照して説明された漏出部２２０は、第１面２５１、第２面２５２、第３面２５３及び第４面２５４のうち一部に全面に亘って形成されてもよい。図５Ｂは、漏出部２２０が全面に亘って形成された第１面２５１を示す。
【００６７】
図５Ｃに示される如く、図３を参照して説明された漏出部２２０は、第１面２５１、第２面２５２、第３面２５３及び第４面２５４の一部又は全部に部分的に形成されてもよい。図５Ｃは、第１面２５１の上部及び下部に形成された２つの漏出部２２０と、第３面２５３の中央部に形成された１つの漏出部２２０と、を示す。
【００６８】
図５Ｄに示される如く、図３を参照して説明された漏出部２２０は、第１面２５１、第２面２５２、第３面２５３及び第４面２５４のうち１つに部分的に形成されてもよい。図５Ｄは、第１面２５１の中央部に形成された漏出部２２０を示す。
【００６９】
＜第６実施形態＞
第５実施形態に関連して説明された発光体は、発光色において異なる複数の光源の使用を可能にする。第６実施形態において、複数の光源を有する発光装置が説明される。
【００７０】
図６は、第６実施形態の発光装置１００Ｃの概略的な斜視図である。図３、図５Ａ乃至図６を参照して、発光装置１００Ｃが説明される。第５実施形態の説明は、第５実施形態と同一の符号が付された要素に対して援用される。
【００７１】
発光装置１００Ｃは、発光体２０５と、青色発光ダイオード３２１と、赤色発光ダイオード３２２と、を備える。発光体２０５に代えて、図５Ａ、図５Ｂ及び図５Ｄを参照して説明された発光体２０３，２０４，２０６が用いられてもよい。あるいは、発光体２０５に代えて、第５実施形態に関連して説明された設計原理に基づいて形成された他の発光体が用いられてもよい。
【００７２】
青色発光ダイオード３２１及び赤色発光ダイオード３２２は、図３を参照して説明された光源３００に対応する。したがって、光源３００に関する説明は、青色発光ダイオード３２１及び赤色発光ダイオード３２２に援用される。
【００７３】
青色発光ダイオード３２１は、発光体２０５の上端面２３０に青色光を出射する。青色光は、周面２５０での反射を繰り返しながら、下端面２４０に向けて伝播する。この間、青色光の一部は、漏出部２２０から漏出する。この結果、通行者は、発光体２０５の周面２５０から漏れ出た青色光を視認することができる。本実施形態において、第１発光素子は、青色発光ダイオード３２１によって例示される。第１光は、青色発光ダイオード３２１から出射された青色光によって例示される。第１光は、他の色相を有してもよい。本実施形態の原理は、第１光の特定の色相に限定されない。
【００７４】
赤色発光ダイオード３２２は、発光体２０５の下端面２４０に赤色光を出射する。赤色光は、周面２５０での反射を繰り返しながら、上端面２３０に向けて伝播する。この間、赤色光の一部は、漏出部２２０から漏出する。この結果、通行者は、発光体２０５の周面２５０から漏れ出た赤色光を視認することができる。本実施形態において、第２発光素子は、赤色発光ダイオード３２２によって例示される。第２光は、赤色発光ダイオード３２２から出射された赤色光によって例示される。第２光は、他の色相を有してもよい。本実施形態の原理は、第２光の特定の色相に限定されない。
【００７５】
＜第７実施形態＞
第６実施形態に関連して説明された赤色発光ダイオード及び青色発光ダイオードの発光は、扉の移動方向に応じて切り替えられてもよい。第７実施形態において、赤色発光ダイオードと青色発光ダイオードとの間での発光動作の切替技術が説明される。
【００７６】
図７は、第７実施形態の発光装置１００Ｄの概略的な斜視図である。図７を参照して、発光装置１００Ｄが説明される。上述の実施形態の説明は、上述の実施形態と同一の符号が付された要素に対して援用される。
【００７７】
図７は、自動ドアＡＭＥを示す。第１実施形態と同様に、自動ドアＡＭＥは、扉ＳＤＲと、ＦＩＸパネルＬＷＤと、を含む。第１実施形態の説明は、これらの要素に援用される。
【００７８】
自動ドアＡＭＥは、モータＭＴＲと、エンコーダＥＣＤと、を更に含む。モータＭＴＲは、扉ＳＤＲを摺動させるための駆動力を生成する。駆動力は、モータＭＴＲから扉ＳＤＲへ伝達される。既知の様々な伝達機構に関する技術は、モータＭＴＲから扉ＳＤＲへの駆動力の伝達に利用されることができる。したがって、本実施形態の原理は、モータＭＴＲから扉ＳＤＲへ駆動力を伝達するための特定の機構に限定されない。
【００７９】
エンコーダＥＣＤは、モータＭＴＲに内蔵される。エンコーダＥＣＤは、モータＭＴＲの回転をパルス信号で出力する。扉ＳＤＲの位置は、モータＭＴＲの動作に連動する。扉ＳＤＲの位置は、エンコーダＥＣＤによって生成されるパルス信号のパルスが、予め設定された特定の位置（例えば、全閉位置や全開位置）から積算されることによって算出される。扉ＳＤＲの移動方向は、モータＭＴＲの回転方向から判別され得る。扉ＳＤＲの移動速度は、単位時間当たりに生成されたパルス数が積算されることによって算出される。パルス数の積算は、モータＭＴＲの回転制御を行う自動ドアコントローラ（図示せず）によって行われる。したがって、扉ＳＤＲの移動方向を表す方向信号は、エンコーダＥＣＤ及び／又は自動ドアコントローラから出力される。方向情報は、方向信号が表す扉ＳＤＲの移動方向に関する情報によって例示される。
【００８０】
本実施形態において、回転型モータが、モータＭＴＲとして利用される。しかしながら、リニアモータが、モータＭＴＲとして利用されてもよい。この場合、エンコーダＥＣＤは、リニアモータの可動子の位置をパルス信号で出力する。エンコーダＥＣＤは、タコジェネレータを用いて回転速度を出力してもよい。この場合、扉ＳＤＲの位置は、回転速度の積分演算によって算出される。エンコーダＥＣＤは、モータＭＴＲとは別体であってもよい。エンコーダＥＣＤは、ホール素子等を用いた磁気式であってもよいし、ＬＥＤ等を用いた光学式であってもよい。上述の如く、本実施形態の原理は、様々な自動ドアに適用可能である。
【００８１】
本実施形態において、信号生成部は、エンコーダＥＣＤ及び／又は自動ドアコントローラによって例示される。代替的に、信号生成部は、扉ＳＤＲの移動方向を検出することができる他のセンサ素子（たとえば、リミットスイッチ、近接スイッチや光センサ）であってもよい。たとえば、扉の閉位置および開位置に配置されたリミットスイッチを用いて、閉位置のリミットスイッチがオフになって開位置のリミットスイッチがオンするまでを開動作中、開位置のリミットスイッチがオフになってから閉位置のリミットスイッチがオンするまでを閉動作中と認識するようにしても良い。本実施形態の原理は、信号生成部として用いられる特定の電子部品に限定されない。
【００８２】
第６実施形態と同様に、発光装置１００Ｄは、発光体２０５と、青色発光ダイオード３２１と、赤色発光ダイオード３２２と、を備える。第６実施形態の説明は、これらの要素に援用される。
【００８３】
発光装置１００Ｄは、青色発光ダイオード３２１及び赤色発光ダイオード３２２を制御する制御回路４００を更に備える。上述の方向信号は、エンコーダＥＣＤ及び／又は自動ドアコントローラから制御回路４００へ出力される。制御回路４００は、方向信号を参照し、青色発光ダイオード３２１及び赤色発光ダイオード３２２のうち一方を選択的に点灯する。扉ＳＤＲが、閉位置から開位置に向けて移動しているとき、制御回路４００は、青色発光ダイオード３２１を点灯させてもよい。この間、赤色発光ダイオード３２２は、消灯される。扉ＳＤＲが、開位置から閉位置に向けて移動しているとき、制御回路４００は、赤色発光ダイオード３２２を点灯させてもよい。この間、青色発光ダイオード３２１は、消灯される。
【００８４】
図８は、制御回路４００の例示的な動作を表す概略的なフローチャートである。図７及び図８を参照して、制御回路４００の動作が説明される。
【００８５】
（ステップＳ１１０）
自動ドアＡＭＥが、通行者を検出し、扉ＳＤＲの移動を開始するならば、制御回路４００は、方向信号をエンコーダＥＣＤ及び／又は自動ドアコントローラから受け取る。この場合、ステップＳ１２０が実行される。他の場合には、自動ドアＡＭＥは、扉ＳＤＲを閉位置に維持する。この間、エンコーダＥＣＤから制御回路４００への方向信号の出力は存在しない。この場合、ステップＳ１６０が実行される。
【００８６】
（ステップＳ１２０）
制御回路４００は、方向信号を参照し、扉ＳＤＲの移動の方向を見極める。既知の自動ドアで用いられる様々な技術は、扉ＳＤＲの移動方向の判定に利用可能である。したがって、本実施形態の原理は、扉ＳＤＲの移動方向を判定するための特定の技術に限定されない。扉ＳＤＲが、閉位置から開位置へ向かっているならば、ステップＳ１３０が実行される。扉ＳＤＲが、開位置から閉位置へ向かっているならば、ステップＳ１４０が実行される。
【００８７】
（ステップＳ１３０）
制御回路４００は、青色発光ダイオード３２１へ電力を供給し、青色発光ダイオード３２１を点灯させる。この間、赤色発光ダイオード３２２は、消灯される。青色発光ダイオード３２１の点灯の後、ステップＳ１５０が実行される。
【００８８】
（ステップＳ１４０）
制御回路４００は、赤色発光ダイオード３２２へ電力を供給し、赤色発光ダイオード３２２を点灯させる。この間、青色発光ダイオード３２１は、消灯される。赤色発光ダイオード３２２の点灯の後、ステップＳ１５０が実行される。
【００８９】
（ステップＳ１５０）
制御回路４００は、方向信号を参照し、扉ＳＤＲが閉位置に復帰したか否かを判定する。既知の自動ドアで用いられる様々な技術は、扉ＳＤＲの位置の判定に利用可能である。したがって、本実施形態の原理は、扉ＳＤＲの位置を判定するための特定の技術に限定されない。扉ＳＤＲが、閉位置に復帰しているならば、制御回路４００は、処理を終了する。他の場合には、ステップＳ１２０が実行される。
【００９０】
（ステップＳ１６０）
制御回路４００は、青色発光ダイオード３２１及び赤色発光ダイオード３２２へ電力を供給しない。この結果、青色発光ダイオード３２１及び赤色発光ダイオード３２２の消灯は、維持される。その後、ステップＳ１１０が実行される。青色発光ダイオード３２１及び赤色発光ダイオード３２２の消灯が、維持される間、発光体２０５は、透明又はＦＩＸパネルＬＷＤと同色であってもよい。この結果、自動ドアＡＭＥの周囲のヒトは、青色光及び赤色光の不存在下では、発光体２０５の存在を認識しにくい。
【００９１】
制御回路４００は、方向信号を処理するためのプログラムを実行するＣＰＵ（Ｃｅｎｔｒａｌ  Ｐｒｏｃｅｓｓｉｎｇ  Ｕｎｉｔ）や方向信号を処理するように形成されたＰＬＤ（Ｐｒｏｇｒａｍｍａｂｌｅ  Ｌｏｇｉｃ  Ｄｅｖｉｃｅ）であってもよい。本実施形態の原理は、制御回路４００として用いられる特定の演算素子に限定されない。
【００９２】
制御回路４００は、青色発光ダイオード３２１及び赤色発光ダイオード３２２の点灯・消灯のために電力供給経路を切り替えるＦＥＴ（ＦＩＥＬＤ  ＥＦＦＥＣＴ  ＴＲＡＮＳＩＳＴＯＲ）を有してもよい。制御回路４００は、ＦＥＴに代えて、電力供給経路を切り替えるように設計された他の電子部品を有してもよい。
【００９３】
＜第８実施形態＞
第６実施形態に関連して説明されたレイアウトに関して、発光ダイオードは、発光体の入射部の近傍に配置される。この結果、発光ダイオードが出射した光は、入射部に効率的に入射することができる。本発明者等は、発光ダイオードと発光体との間の位置関係を安定的に維持する技術を開発した。第８実施形態において、発光ダイオードと発光体との間の位置関係を安定的に維持する技術が説明される。
【００９４】
図９Ａは、第８実施形態の保持箱５００の概略的な斜視図である。図９Ｂは、第８実施形態の保持箱５００の概略的な断面図である。図６、図９Ａ及び図９Ｂを参照して、保持箱５００が説明される。
【００９５】
保持箱５００は、青色発光ダイオード３２１又は赤色発光ダイオード３２２と、発光体２０５の上端面２３０又は下端面２４０と、を保持する。保持箱５００は、周壁５１０と、端壁５２０と、を含む。周壁５１０は、略矩形筒状である。周壁５１０は、挿入口５３１と、挿入口５３１から連なる内部空間５３２と、を形成する。挿入口５３１は、発光体２０５の横断面と略相補的である。発光体２０５の上端又は下端は、挿入口５３１を通じて、内部空間５３２へ挿入される。端壁５２０は、挿入口５３１とは反対側に配置される。端壁５２０は、周壁５１０と協働して、内部空間５３２を形成する。
【００９６】
周壁５１０は、内面５１１と、突条５１２と、を含む。内面５１１は、内部空間５３２の輪郭を形成する。突条５１２は、内面５１１から内方に突出する。突条５１２は、略矩形環である。突条５１２は、内部空間５３２を、第１内部空間５３３と、第２内部空間５３４と、に区画する。第１内部空間５３３は、挿入口５３１と突条５１２との間で形成される。第２内部空間５３４は、突条５１２と端壁５２０との間で形成される。
【００９７】
発光体２０５の上端又は下端は、第１内部空間５３３内で保持される。内面５１１は、突条５１２と挿入口５３１との間において、発光体２０５の第１面２５１、第２面２５２、第３面２５３及び第４面２５４それぞれに当接してもよい。突条５１２は、発光体２０５の上端面２３０又は下端面２４０の周縁領域に当接してもよい。
【００９８】
青色発光ダイオード３２１又は赤色発光ダイオード３２２は、第２内部空間５３４内に配置される。青色発光ダイオード３２１又は赤色発光ダイオード３２２から出射された光は、突条５１２によって囲まれた空間を通過し、発光体２０５の上端面２３０又は下端面２４０に入射する。
【００９９】
内面５１１及び突条５１２の表面は、白色であってもよい。この場合、保持箱５００は、青色発光ダイオード３２１又は赤色発光ダイオード３２２から出射された光をほとんど吸収しない。したがって、光は、青色発光ダイオード３２１又は赤色発光ダイオード３２２から発光体２０５へ効率的に伝達される。
【０１００】
＜第９実施形態＞
設計者は、第８実施形態に関連して説明された保持箱を用いて、様々な発光装置を設計することができる。第９実施形態において、保持箱を有する例示的な発光装置が説明される。
【０１０１】
図１０は、第９実施形態の発光装置１００Ｅの概略的な断面図である。図４乃至図７及び図１０を参照して、発光装置１００Ｅが説明される。上述の実施形態の説明は、上述の実施形態と同一の符号が付された要素に対して援用される。
【０１０２】
発光装置１００Ｅは、第８実施形態に関連して説明された保持箱５００を備える。第８実施形態の説明は、保持箱５００に援用される。
【０１０３】
発光装置１００Ｅは、発光体２０７と、発光ダイオード３３０と、を更に備える。発光体２０７は、図５Ａ乃至図５Ｄを参照して説明された発光体２０３，２０４，２０５，２０６のうち１つであってもよい。あるいは、発光体２０７は、第５実施形態に関連して説明された設計原理にしたがって形成された他の発光体であってもよい。第５実施形態の説明は、発光体２０７に援用される。発光ダイオード３３０は、発光体２０７の入射部２１０に向けて収束する収束光を出射するように形成されたレンズ形状を有してもよい。発光ダイオード３３０は、図４を参照して説明された光源３００Ｂであってもよい。あるいは、発光ダイオード３３０は、図６を参照して説明された青色発光ダイオード３２１又は赤色発光ダイオード３２２であってもよい。発光ダイオード３３０は、発光体２０７から十分な強度の光を漏出させることができる他の発光ダイオードであってもよい。第４実施形態及び第６実施形態の説明は、発光ダイオード３３０に援用される。
【０１０４】
発光装置１００Ｅは、電力線３４０を更に備える。周壁５１０には、第２内部空間５３４に連通する貫通穴５３５が形成される。電力線３４０は、貫通穴５３５を通じて保持箱５００内に延び、発光ダイオード３３０に電気的に接続される。電力線３４０は、保持箱５００の外において、図７を参照して説明された制御回路４００に電気的に接続されてもよい。この場合、発光ダイオード３３０は、扉ＳＤＲ（図７を参照）の移動方向に合わせて、点灯又は消灯される。
【０１０５】
＜第１０実施形態＞
第９実施形態に関連して説明された設計原理は、保持箱内の発光ダイオードへの容易な電力供給を可能にする。しかしながら、保持箱に形成された貫通穴を通じて流入した水や塵埃が、発光ダイオードの電気的及び／又は機械的な故障を引き起こすこともある。加えて、保持箱内に流入した水や塵埃が、発光体の入射部を汚染することもある。第１０実施形態において、水や塵埃に起因する故障や損傷のリスクを低減する技術が説明される。
【０１０６】
図１１は、第１０実施形態の発光装置１００Ｆの概略的な断面図である。図１１を参照して、発光装置１００Ｆが説明される。第９実施形態の説明は、第９実施形態と同一の符号が付された要素に対して援用される。
【０１０７】
第９実施形態と同様に、発光装置１００Ｆは、発光体２０７と、発光ダイオード３３０と、電力線３４０と、保持箱５００と、を備える。第９実施形態の説明は、これらの要素に援用される。
【０１０８】
発光装置１００Ｆは、シール材３５０を更に備える。シール材３５０は、貫通穴５３５を閉じる。この結果、水や塵埃は、第２内部空間５３４へ流入しにくくなる。シール材３５０は、防水性及び／又は防塵性に優れたフィルムシールであってもよい。あるいは、シール材３５０は、貫通穴５３５に封入された封入剤であってもよい。本実施形態の原理は、シール材３５０の特定の構造に限定されない。
【０１０９】
＜第１１実施形態＞
自動ドアの周囲が明るいならば、通行者に発光体からの光を知覚させるためには、高い輝度が必要とされる。一方、発光体からの光の高い輝度が、維持されるならば、自動ドアの周囲が暗くなったとき、通行者は、発光体の輝度が高すぎると感じることもある。第１１実施形態において、自動ドアの周囲の照度の変化に適合して、発光体の輝度を調整することができる例示的な発光装置が説明される。
【０１１０】
図１２は、第１１実施形態の発光装置１００Ｇの概念的なブロック図である。図１２を参照して、発光装置１００Ｇが説明される。第１０実施形態の説明は、第１０実施形態と同一の符号が付された要素に対して援用される。
【０１１１】
第１０実施形態と同様に、発光装置１００Ｇは、発光体２０７と、発光ダイオード３３０と、を備える。第１０実施形態の説明は、これらの要素に援用される。
【０１１２】
発光装置１００Ｇは、制御回路４００Ｇと、照度センサ６００と、を更に備える。照度センサ６００は、自動ドア（図示せず）の周囲に配置される。照度センサ６００は、自動ドアの周囲の照度を検出し、検出された照度を表す照度信号を生成する。照度信号は、照度センサ６００から制御回路４００Ｇへ出力される。フォトダイオードといった市販の様々な照度センサは、照度センサ６００として好適に利用可能である。したがって、本実施形態の原理は、照度センサ６００として用いられる特定のセンサに限定されない。
【０１１３】
制御回路４００Ｇは、照度信号を照度センサ６００から受け取る。制御回路４００Ｇは、照度信号に応じて、出力電力量を調整する。調整された電力は、制御回路４００Ｇから発光ダイオード３３０へ出力される。
【０１１４】
照度信号が、検出された照度として第１照度値を表すとき、発光ダイオード３３０の輝度が、第１輝度値となるように、制御回路４００Ｇは、出力電力量を調整する。照度信号が、検出された照度として第１照度値より低い第２照度値を表すとき、発光ダイオード３３０の輝度が、第１輝度値よりも低い第２輝度値となるように、制御回路４００Ｇは、出力電力量を調整する。したがって、発光ダイオード３３０は、自動ドアの周囲の照度に適した輝度で発光することができる。
【０１１５】
制御回路４００Ｇは、照度信号に応じて抵抗値を変える可変抵抗器や他の適切な電子部品であってもよい。本実施形態の原理は、制御回路４００Ｇとして用いられる特定の電子部品に限定されない。
【０１１６】
上述の様々な実施形態に関連して説明された発光装置は、様々な自動ドアに適用可能である。上述の様々な実施形態のうち１つに関連して説明された様々な特徴のうち一部が、他のもう１つの実施形態に関連して説明された技術に適用されてもよい。
【産業上の利用可能性】
【０１１７】
上述の実施形態の原理は、様々な自動ドアに好適に利用される。
【符号の説明】
【０１１８】
１００，１００Ａ・・・・・・・・・・・・・・・発光装置
１００Ｃ〜１００Ｇ・・・・・・・・・・・・・・発光装置
２００，２００Ａ・・・・・・・・・・・・・・・発光体
２０１〜２０７・・・・・・・・・・・・・・・・発光体
２１０・・・・・・・・・・・・・・・・・・・・入射部
２２０・・・・・・・・・・・・・・・・・・・・漏出部
２３０・・・・・・・・・・・・・・・・・・・・上端面（上端部）
２４０・・・・・・・・・・・・・・・・・・・・下端面（下端部）
２５０・・・・・・・・・・・・・・・・・・・・周面（光導波路部）
３００，３００Ｂ・・・・・・・・・・・・・・・光源
３２１・・・・・・・・・・・・・・・・・・・・青色発光ダイオード（第１発光素子）
３２２・・・・・・・・・・・・・・・・・・・・赤色発光ダイオード（第２発光素子）
４００，４００Ｇ・・・・・・・・・・・・・・・制御回路
５００・・・・・・・・・・・・・・・・・・・・保持箱
５１０・・・・・・・・・・・・・・・・・・・・周壁
５１１・・・・・・・・・・・・・・・・・・・・内面
５１２・・・・・・・・・・・・・・・・・・・・突条
５２０・・・・・・・・・・・・・・・・・・・・端壁
５３１・・・・・・・・・・・・・・・・・・・・挿入口
５３２・・・・・・・・・・・・・・・・・・・・内部空間
５３３・・・・・・・・・・・・・・・・・・・・第１内部空間
５３４・・・・・・・・・・・・・・・・・・・・第２内部空間
６００・・・・・・・・・・・・・・・・・・・・照度センサ
ＡＭＤ，ＡＭＥ・・・・・・・・・・・・・・・・自動ドア
ＭＬＮ・・・・・・・・・・・・・・・・・・・・方立
ＬＷＤ・・・・・・・・・・・・・・・・・・・・ＦＩＸパネル
ＰＳＧ・・・・・・・・・・・・・・・・・・・・通路
ＳＤＲ・・・・・・・・・・・・・・・・・・・・扉
【図１】
0006629123.tif 000002
【図２Ａ】
0006629123.tif 000003
【図２Ｂ】
0006629123.tif 000004
【図３】
0006629123.tif 000005
【図４】
0006629123.tif 000006
【図５Ａ】
0006629123.tif 000007
【図５Ｂ】
0006629123.tif 000008
【図５Ｃ】
0006629123.tif 000009
【図５Ｄ】
0006629123.tif 000010
【図６】
0006629123.tif 000011
【図７】
0006629123.tif 000012
【図８】
0006629123.tif 000013
【図９Ａ】
0006629123.tif 000014
【図９Ｂ】
0006629123.tif 000015
【図１０】
0006629123.tif 000016
【図１１】
0006629123.tif 000017
【図１２】
0006629123.tif 000018